(57)【要約】【課題】アプリケーションファイルを含む多数のファイルが存在する場合に、これらのファイルを簡単な操作で効率的に管理する。【解決手段】ＲＡＭ２５に個別に記憶された各種アプリケーションファイルと各種データファイルの一覧画面を表示部１２に表示し、この一覧画面上で指定された各ファイルを結合して１つの集合ファイルを作成する機能を備える。これにより、各種ファイルが個別に記憶されていても、その中で任意に指定した各ファイルを一纏めにして効率的に管理することができる。【選択図】      図２
2005202858.tif 000002
【特許請求の範囲】
【請求項１】
各種アプリケーションプログラムファイルと各種データファイルを個別に記憶する記憶手段と、
この記憶手段に記憶された各ファイルの一覧画面を表示する表示手段と、
この表示手段によって表示された一覧画面上で集合対象となる複数のファイルを指定する指定手段と、
この指定手段によって指定された各ファイルを結合して１つの集合ファイルを作成する集合ファイル作成手段と
を具備したことを特徴とする端末装置。
【請求項２】
各種アプリケーションプログラムファイルと各種データファイルを個別に記憶する記憶手段と、
この記憶手段に記憶された各ファイルの一覧画面を表示する表示手段と、
この表示手段によって表示された一覧画面上で集合対象となる複数のファイルを指定する指定手段と、
この指定手段によって指定された各ファイルの中にアプリケーションプログラムファイルが含まれているか否かを判断する判断手段と、
この判断手段によってアプリケーションプログラムファイルが含まれていると判断された場合に、これらの指定ファイルを結合して１つの集合ファイルを作成する集合ファイル作成手段と
を具備したことを特徴とする端末装置。
【請求項３】
前記判断手段によってアプリケーションプログラムファイルが含まれていないと判断された場合に、データファイルの集合として結合して良いか否かを確認する確認手段を備え、
前記集合ファイル作成手段は、前記確認手段によって結合許可の確認が取れた場合に、これらのデータファイルを結合して１つの集合ファイルを作成することを特徴とする請求項２記載の端末装置。
【請求項４】
前記集合ファイル作成手段によって作成された集合ファイルを送信先として指定された端末装置に送信する送信手段をさらに具備したことを特徴とする請求項１乃至３のいずれかに記載の端末装置。
【請求項５】
前記集合ファイル作成手段によって作成された集合ファイルを構成する各ファイルを分散して元の状態に戻す分散手段をさらに具備したことを特徴とする請求項１乃至３のいずれかに記載の端末装置。
【請求項６】
複数の異なるファイルを１つに纏めて管理するためのファイル管理方法であって、
メモリに個別に記憶された各種アプリケーションプログラムファイルと各種データファイルの一覧画面を表示するステップと、
前記一覧画面上で集合対象となる複数のファイルが指定された際に、その指定された各ファイルの中にアプリケーションプログラムファイルが含まれているか否かを判断するステップと、
アプリケーションプログラムファイルが含まれていると判断された場合に、これらの指定ファイルを結合して１つの集合ファイルを作成するステップと
を備えたことを特徴とするファイル管理方法。
【請求項７】
アプリケーションプログラムファイルが含まれていないと判断された場合に、データファイルの集合として結合して良いか否かを確認するステップと、
結合許可の確認が取れた場合に、これらのデータファイルを結合して１つの集合ファイルを作成するステップと
をさらに備えたことを特徴とする請求項６記載のファイル管理方法。
【請求項８】
複数の異なるファイルを１つに纏めて管理するためのプログラムであって、
コンピュータに、
メモリに個別に記憶された各種アプリケーションプログラムファイルと各種データファイルの一覧画面を表示する機能と、
前記一覧画面上で集合対象となる複数のファイルが指定された際に、その指定された各ファイルの中にアプリケーションプログラムファイルが含まれているか否かを判断する機能と、
アプリケーションプログラムファイルが含まれていると判断された場合に、これらの指定ファイルを結合して１つの集合ファイルを作成する機能と
を実現させることを特徴とするプログラム。
【請求項９】
アプリケーションプログラムファイルが含まれていないと判断された場合に、データファイルの集合として結合して良いか否かを確認する機能と、
結合許可の確認が取れた場合に、これらのデータファイルを結合して１つの集合ファイルを作成する機能と
をさらに実現させることを特徴とする請求項８記載のプログラム。
【発明の詳細な説明】
【技術分野】
【０００１】
本発明は、例えば携帯電話やパーソナルコンピュータなどの端末装置に係り、特にゲームなどのアプリケーションプログラムファイル（以下、単にアプリケーションファイルと称す）とそのデータファイルを管理する場合に用いて好適な端末装置と、この端末装置に用いられるファイル管理方法及びプログラムに関する。
【背景技術】
【０００２】
例えば、携帯電話などの端末装置では、サイトからダウンロードしたゲームなど、様々なアプリケーションファイルが搭載されており、これらをユーザが任意に選択的に実行することができる。
【０００３】
この場合、例えばゲームのアプリケーションファイルであれば、ゲームスコアや自作画面のデータなど、そのアプリケーションで扱われる各種データファイルが存在するものであるが、これらのファイルは通常独立して管理されている。このため、ファイル操作（移動、削除、コピー等）を行う際に、ユーザはアプリケーションファイルを含む各種ファイルの関連性を意識して操作しないと、アプリケーションが正常に動作しなかったり、データが失われるなどの障害が生じてしまうことがある。
【０００４】
なお、従来、ファイル管理に関する発明として、複数のファイルを１つのフォルダに纏めるシステムが知られている（例えば、特許文献１参照）。
【０００５】
また、ファイルとそのファイルを操作するための特定のコマンドをセットにして送信し、これを受信した端末装置が当該ファイルをそのコマンドに従って処理するようにした発明がある（例えば、特許文献２参照）。
【０００６】
前記特許文献１、２のいずれの発明についても、管理対象となるファイルはデータファイルだけであり、ゲームなどのアプリケーションファイルを含む各種ファイルを効率的に管理するものではない。
【特許文献１】特開２００３−１６７７７０号公報
【特許文献２】特開２００２−１４９５３１号公報
【発明の開示】
【発明が解決しようとする課題】
【０００７】
上述したように、アプリケーションとデータは独立したファイルであり、これらが分散管理されていると、移動、削除、コピーなどのファイル操作を行う場合に非常に面倒であり、誤操作によりデータを削除してしまうなどの問題があった。
【０００８】
そこで、本発明は、アプリケーションファイルを含む多数のファイルが存在する場合に、これらのファイルを簡単な操作で効率的に管理することのできる端末装置、ファイル管理方法及びプログラムを提供することを目的とする。
【課題を解決するための手段】
【０００９】
本発明の端末装置は、各種アプリケーションファイルと各種データファイルを個別に記憶する記憶手段と、この記憶手段に記憶された各ファイルの一覧画面を表示する表示手段と、この表示手段によって表示された一覧画面上で集合対象となる複数のファイルを指定する指定手段と、この指定手段によって指定された各ファイルを結合して１つの集合ファイルを作成する集合ファイル作成手段とを具備して構成される。
【００１０】
このような構成によれば、アプリケーションファイルを含む多数のファイルが存在する場合に、これらの中で任意に指定された複数のファイルを一纏めにして効率的に管理することができる。
【００１１】
本発明の端末装置は、各種アプリケーションファイルと各種データファイルを個別に記憶する記憶手段と、この記憶手段に記憶された各ファイルの一覧画面を表示する表示手段と、この表示手段によって表示された一覧画面上で集合対象となる複数のファイルを指定する指定手段と、この指定手段によって指定された各ファイルの中にアプリケーションファイルが含まれているか否かを判断する判断手段と、この判断手段によってアプリケーションファイルが含まれていると判断された場合に、これらの指定ファイルを結合して１つの集合ファイルを作成する集合ファイル作成手段とを具備して構成される。
【００１２】
また、前記判断手段によってアプリケーションファイルが含まれていないと判断された場合に、データファイルの集合として結合して良いか否かを確認する確認手段を備え、前記集合ファイル作成手段は、前記確認手段によって結合許可の確認が取れた場合に、これらのデータファイルを結合して１つの集合ファイルを作成することを特徴とする。
【００１３】
このような構成によれば、アプリケーションファイルを含む多数のファイルが存在する場合に、これらの中で任意に指定された複数のファイルを一纏めにして効率的に管理することができる。
【００１４】
この場合、集合対象としてアプリケーションファイルを含めて指定すれば、そのアプリケーションファイルに各データファイルを結合させた集合ファイルを得ることができる。また、アプリケーションファイルを含めなかった場合には、データファイルだけの集合であることが確認された上で、これらのデータファイルを結合させた集合ファイルを得ることができる。
【００１５】
また、前記集合ファイル作成手段によって作成された集合ファイルを送信先として指定された端末装置に送信する送信手段をさらに備えることで、その送信相手に各ファイルを纏めて送ることができる。この場合、集合ファイルにアプリケーションファイルとそのアプリケーションで使用するデータファイルを含まれて送るようにすれば、相手先に対しても、そのアプリケーションを同じように実行させることができる。
【００１６】
また、前記集合ファイル作成手段によって作成された集合ファイルを構成する各ファイルを分散して元の状態に戻す分散手段をさらに備えることで、集合ファイルに含まれる各ファイルをいつでも元の状態に戻して使用することができる。
【発明の効果】
【００１７】
本発明によれば、アプリケーションファイルを含む多数のファイルが存在する場合に、これらの中で任意に指定された複数のファイルを一纏めにして効率的に管理することができる。これにより、ユーザのファイル操作を簡便に行うことができ、ファイル操作を誤って関連ファイルを削除してしまうなどの誤操作を防ぐことができる。
【発明を実施するための最良の形態】
【００１８】
以下、図面を参照して本発明の実施形態を説明する。
【００１９】
図１は本発明の一実施形態に係る端末装置として携帯電話を例にした場合の外観構成を示す図である。
【００２０】
図１に示すように、この携帯電話１０の機器本体１１の表面上には、表示部１２、入力部１３、マイク１４、スピーカ１５などが設けられている。なお、この例では折り畳み式の携帯電話１０が示されており、機器本体１１は表示部１２を有する第１の本体１１ａと第２の本体１１ｂに分けられ、ヒンジ機構１１ｃを介して互いに開閉自在な構造を有する。
【００２１】
表示部１２は、例えばカラー表示可能な小型ＬＣＤ（Liquid Crystal Display）からなり、薄型平面状の表示画面を有し、そこに各種メニューや入力データを表示したり、この携帯電話１０に備え付けられたカメラ１６で撮影した画像や外部から受信した画像などを表示する。また、カメラ撮影時には、この表示部１２の表示画面が電子ビューファインダとして機能し、そこに被写体の画像を映し出すことができる。
【００２２】
入力部１３は、データの入力や機能指示を行うためのものである。この入力部１３には、電話番号や文字を入力するためのダイヤル／文字ボタン１３ａや、電源のＯＮ／ＯＦＦを切り換えるための電源ボタン１３ｂ、電話やメールの発信に用いられる発信ボタン１３ｃ、携帯電話１０に備えられた各機能を選択するための機能選択ボタン１３ｄ、カメラ１６を起動するためのカメラボタン１３ｅなどを含んでいる。なお、機能選択ボタン１３ｄは、上下左右のカーソルキーおよび実行キーの機能も兼ねている。
【００２３】
マイク１４およびスピーカ１５は、通話時における送話器と受話器として用いられる。このマイク１４およびスピーカ１５は通話時にユーザの耳と口元の位置にくるように、マイク１４は第１の本体１１ａの下部、スピーカ１５は第２の本体１１ｂの上部に配置されている。
【００２４】
カメラ１６は、例えば第１の本体１１ａの上部に設置されており、前記入力部１３のカメラボタン１３ｅの押下操作に伴い静止画または動画の撮影を行う。なお、このカメラ１６は機器本体に固定されていても、着脱自在な構成であっても良い。また、第１の本体１１ａの上部には、無線電波を送受信するためのアンテナ１７が伸縮自在に取り付けられている。
【００２５】
図２は同実施形態における携帯電話１０の回路構成を示すブロック図である。
【００２６】
この携帯電話１０には、アンテナ１７、無線部２１、音声変換回路２２、マイク１４、スピーカ１５などを含む無線通信ユニットが備えられている。
【００２７】
アンテナ１７は、図示せぬ基地局との間で無線電波を送受信する。無線部２１は、所定の通信プロトコルに従った無線通信処理を行う。音声変換回路２２は、通話時における音声データの変調／復調処理などを行う。マイク１４は送話器としてユーザの音声データを入力し、スピーカ１５は受話器として通話相手の音声データを出力する。
【００２８】
また、携帯電話１０には、この端末機器全体の制御を担う制御部２３が備えられていると共に、この制御部２３の処理動作に必要なデータを記憶するためのＲＯＭ２４、ＲＡＭ２５などが備えられている。
【００２９】
制御部２３は、マイクロプロセッサ（ＣＰＵ）からなり、ＲＯＭ２４やＲＡＭ２５などに記憶されているプログラムを読み込むことにより、そのプログラムに記述された手順に従って各種処理を実行する。
【００３０】
ＲＯＭ２４には、ＯＳ（Operating System）などの基本的なプログラムを含む各種データが予め記憶されている。
【００３１】
ＲＡＭ２５は、ワークメモリとして使用され、制御部２３に処理動作に必要となる各種情報を記憶保持する。ここでは、ゲームなどの各種アプリケーションファイルを記憶するためのアプリケーション記憶部２５ａ、これらのアプリケーションの下で扱われる各種データファイルを記憶するためのデータ記憶部２５ｂ、さらに、後述する集合処理に用いられる集合ファイルリストを記憶するためのリスト記憶部２５ｃ、この集合ファイルリストに従って作成される集合ファイルを記憶するための集合ファイル記憶部２５ｄなどを有する。
【００３２】
また、携帯電話１０には、上述した表示部１２や入力部１３の他、振動部２６および鳴音部２７が備えられている。
【００３３】
表示部１２は、例えばカラーＬＣＤからなり、各種メニューや入力データ等を表示する。入力部１３は、この携帯電話１０を操作するための操作部として用いられるものであって、図１に示したように、例えばダイヤル／文字ボタン１３ａ、電源ボタン１３ｂ、発信ボタン１３ｃ、機能選択ボタン１３ｄ、カメラボタン１３ｅなどを含む各種操作キーを有する。
【００３４】
振動部２６は、バイブレータ機能と呼ばれるもので、電話やメールの着信を振動によりユーザに通知する。鳴音部２７は、電話やメールの着信時に予め設定された着信音を鳴らしてユーザに通知する。
【００３５】
次に、本発明のファイル管理機能について、図３乃至図８に示す表示画面例を参照して説明する。
【００３６】
携帯電話１０に設けられたＲＡＭ２５には、例えばインターネットなどを介して所定のサイトからダウロードしたゲームのアプリケーションファイルや、そのゲームに使用される自作の画面やスコアなどのデータファイルが多数記憶されている。
【００３７】
ここで、例えば入力部１３に設けられた機能選択ボタン１３ｄの操作などにより「ファイル一覧」機能を指定すると、図３に示すようなファイル一覧画面３１が表示部１２に表示される。このファイル一覧画面３１には、ＲＡＭ２５に現在記憶されている各種ファイルの名前がチェック欄３２と共に表示されている。
【００３８】
初期状態において、これらのファイルのチェック欄３２には「Ａ」または「Ｄ」の記号が付されている。「Ａ」はアプリケーションファイル、「Ｄ」はデータファイルを示す。図３の例では、「シューティング」と「パルスゲーム」がアプリケーションファイルであり、その他の「ハイスコア」、「自作マップ１」、「自作マップ２」などはデータファイルである。
【００３９】
また、このファイル一覧画面３１の下部付近に「表示」、「選択」、「サブメニュー」といった３つのボタン３３〜３５が設けられており、このうちの「サブメニュー」ボタン３５を操作すると、図４に示すようなサブメニュー画面４１に切り替わる。このサブメニュー画面４１には、「登録」、「移動」、「削除」などを含むファイル操作に関する各項目が設けられていると共に、その下部付近に前記各項目の中で選択された項目を確定するための「ＯＫ」ボタン４２と当該サブメニュー画面４１を閉じるための「閉じる」ボタン４３が設けられている。
【００４０】
ここで、サブメニュー画面４１上で「集合」といった項目を選択すると、図５に示すように、ファイル一覧画面３１が集合ファイル選択用画面として再表示され、そのファイル一覧の中で１つに纏めたいファイルを少なくとも２つ以上選択することで、これらのファイルを結合した集合ファイルが作成される。
【００４１】
この場合、各種ファイルの中でアプリケーションファイルを含めて選択することの他に、データファイルだけを選択することも可能である。ファイルを選択すると、そのファイルのチェック欄３２には選択状態を示すチェック記号が付される。図５の例では、「シューティング」といったアプリケーションファイルと、「ハイスコア」と「自作マップ２」といったデータファイルが選択されている。
【００４２】
ファイル選択後、画面下部の「集合」ボタン３６を操作すると、図６に示すような確認メッセージ５１が表示される。このとき、画面下部に表示される「ＮＯ」ボタン５２を操作すれば、選択内容がクリアされて元の状態に戻る。
【００４３】
また、「ＯＫ」ボタン５３を操作すれば、集合対象として選択された各ファイルが結合され、これらのファイルを管理するための集合情報を有する集合ファイルが作成される。なお、この集合ファイルの構成については後述する。
【００４４】
図７では、「シューティング」に「ハイスコア」と「自作マップ２」が結合されて、集合ファイル「シューティング（Ａ＋）」が作成された場合の例が示されている。その際、当該ファイルのチェック欄３２には、「Ａ＋」といった記号が表示されて、アプリケーションファイルを含む集合ファイルであることが示される。
【００４５】
また、集合ファイルが作成された状態で、再度「サブメニュー」ボタン３５の操作によりサブメニュー画面４１を表示して、その中の「Ｅメールへ添付」の項目を選択して「ＯＫ」ボタン４２を操作すると、図８に示すような確認メッセージ５４が表示される。この状態で、「ＯＫ」ボタン５３を操作すれば、当該集合ファイルが電子メールに添付されて、指定の相手先端末に送信される。
【００４６】
次に、上述したファイル管理機能を実現するための具体的な処理動作について、フローチャートを参照しながら詳しく説明する。なお、以下の各フローチャートで示される処理は、携帯電話１０に搭載されたマイクロコンピュータである制御部２３がＲＯＭ２４やＲＡＭ２５に記憶されたプログラムを読み込むことにより、そのプログラムに記述された手順に従って実行される。
【００４７】
（ａ）サブメニュー
まず、サブメニュー表示時の処理について説明する。
【００４８】
図９は同実施形態における携帯電話１０のサブメニュー表示時の処理動作を示すフローチャートである。
【００４９】
所定の操作により、図３に示すようなサブメニュー画面４１が表示部１２に表示される（ステップＡ１１）。このサブメニュー画面４１には、「登録」、「移動」、「削除」などを含むファイル操作に関する各項目が設けられている。このサブメニュー画面４１上でユーザが任意の項目を選択すると（ステップＡ１２）、その選択された項目に対応した処理として、「集合処理」、「分散処理」、「メール添付処理」などが実行される（ステップＡ１３〜Ａ１５）。
【００５０】
「集合処理」では、ユーザによって集合対象として指定された複数のファイルを結合して、１つの集合ファイルを作成する処理を行う。なお、この集合処理については、後に図１１のフローチャートを参照して詳しく説明する。
【００５１】
「分散処理」では、集合ファイルを構成する各ファイルを分散して元の状態に戻す処理を行う。なお、この分散処理については、後に図１２のフローチャートを参照して詳しく説明する。
【００５２】
「メール添付処理」では、集合ファイルを電子メールに添付して相手端末に送信する処理を行う。なお、電子メールにファイルを添付する方法や、その電子メールを送信する方法については公知であるため、ここでは詳しい説明は省略するものとする。
【００５３】
本実施形態において、電子メールを含む各種データの送信は、図２に示す無線部２１を通じて行われる。相手先では、この電子メールに添付された集合ファイルを実行することができる。この場合、集合ファイルにアプリケーションファイルとそのアプリケーションで使用されるデータファイルを含ませて送ることで、相手先に対しても、そのアプリケーションを同じように実行させることができる。なお、集合ファイルの実行処理については、後に図１１のフローチャートを参照して詳しく説明する。
【００５４】
（ｂ）集合処理
次に、前記ステップＡ１３の集合処理について説明する。
【００５５】
図１０は同実施形態における携帯電話１０の集合処理の動作を示すフローチャートである。
【００５６】
前記サブメニュー画面４１上で「集合」項目が選択されると、図５に示すように、全ファイル（アプリケーションファイルとデータファイル）の一覧画面３１が集合ファイル選択用画面として表示部１２に表示される（ステップＢ１１）。
【００５７】
そして、前記ファイル一覧画面３１上で所定の操作により集合対象となるファイルが指定されると、その指定ファイルを登録した集合ファイルリストがＲＡＭ２５のリスト記憶部２５ｃに作成される（ステップＢ１２）。その際、指定ファイルの種類がアプリケーションファイルであるか否かが判断される（ステップＢ１３）。アプリケーションファイルであれば（ステップＢ１３のＹｅｓ）、その旨を示すアプリフラグが当該ファイルにセットされる（ステップＢ１４）。
【００５８】
このようして、ファイルが指定される度に、集合ファイルリストが更新される（ステップＢ１５）。
【００５９】
ここで、少なくとも２つ以上のファイルが指定された後、「集合」ボタン３６が操作されると（ステップＢ１６のＹｅｓ）、まず、前記集合ファイルリストに登録された各ファイルにアプリケーションファイルが含まれているか否かがアプリフラグの有無により判断される（ステップＢ１７）。
【００６０】
アプリケーションファイルが含まれていない場合には（ステップＢ１７のＹｅｓ）、データファイルだけの集合になるので、それで結合して良いか否かがメッセージ表示等によりユーザに確認される。そして、ユーザからＯＫキーが入力されるなどして、結合許可の確認が取れた場合に（ステップＢ１８のＹｅｓ）、データファイルだけで集合ファイルの作成が強制実行される（ステップＢ１９）。
【００６１】
詳しくは、集合ファイルリストに登録された各データファイルがＲＡＭ２５のデータ記憶部２５ｂから読み出された後、まず、これらのファイルを関連付けて管理するための集合情報が生成される。そして、この集合情報と各データファイルが連結されて、１つの集合ファイルが作成されてＲＡＭ２５の集合ファイル記憶部２５ｄに格納される。
【００６２】
このようなデータファイルのみから構成される集合ファイルは、例えば複数枚の写真データを１つのファイルにして送る場合などに使用される。
【００６３】
一方、アプリケーションファイルが含まれている場合には（ステップＢ１７のＮｏ）、特にユーザに確認することなく、アプリケーションファイルとデータファイルから集合ファイルが作成されてＲＡＭ２５の集合ファイル記憶部２５ｄに格納される。
【００６４】
図１３に集合ファイルの構成を示す。
【００６５】
例えばゲームなどの「アプリケーション」と、そのアプリケーションで使用される「データ１」、「データ２」、「データ３」が集合対象ファイルとして指定されたとすると、集合ファイルはこれらのファイルと集合情報の連結により構成される。この集合情報は集合ファイルの先頭位置に設けられ、図１４に示すように、各ファイルの名前や保存位置、属性情報、作成日時などの情報を有する。
【００６６】
集合ファイル内の各ファイルにアクセスする場合には、まず、集合情報を読み込み、その集合情報から各ファイルの物理的な位置を取得する。図１５の例では、集合情報に基づいて集合ファイル内の「アプリケーション」と「データ２」にアクセスする場合の例が示されている。
【００６７】
また、ファイルの新規作成や、ファイルの削除を行う場合には、そのファイルの情報を集合情報に反映させる。例えば図１６に示すように、「データ３」を削除する場合には、集合情報から「データ３」に関するファイル情報を削除しておく。
【００６８】
また、ファイルの修正を行う場合には、サイズの増減など内部データに変更が生じるので、集合情報への反映の他に、その対策が必要となる。このような場合には、対象ファイルのコピーを作成して一時ファイルとし、書き込みはこのファイルに対して行い、処理終了後に一時ファイルと対象ファイルを交換する処理を行うことで、レスポンスを低下させずに対応することができる。図１７の例は、データ１の一時ファイルに書き込みを行い、クローズ時に交換する場合の例が示されている。
【００６９】
（ｃ）集合ファイル実行処理
次に、前記ステップＡ１３の集合処理で作成された集合ファイルを実際に実行する場合の処理について説明する。
【００７０】
図１１は同実施形態における携帯電話１０の集合ファイル実行処理の動作を示すフローチャートである。
【００７１】
例えばゲーム等のアプリケーションをそのアプリケーションで扱われていたデータと共に１つの集合ファイルに纏めてから電子メールにより相手端末に送信すると、これを受信した端末装置側でも、同じデータを用いて当該アプリケーションを実行することができる。なお、この集合ファイルは、これを作成した端末装置（つまり携帯電話１０）でも実行可能である。
【００７２】
集合ファイルを実行する場合において、まず、その実行対象となる集合ファイルから集合情報が読み出される（ステップＣ１１）。そして、その集合情報に基づいて当該集合ファイルに含まれるアプリケーションファイルとデータファイルの保存位置が確認された後（ステップＣ１２）、これらのファイルを読み込むことで当該アプリケーションに従った所定の処理が実行される（ステップＣ１３）。
【００７３】
（ｄ）分散処理
次に、前記ステップＡ１４の分散処理について説明する。
【００７４】
図１２は同実施形態における携帯電話１０の分散処理の動作を示すフローチャートである。
【００７５】
前記サブメニュー画面４１上で「分散」項目が選択されると、まず、現在作成されている集合ファイルから集合情報が読み出される（ステップＤ１１）。そして、この集合情報に基づいて当該集合ファイルを構成する各ファイルが分離され（ステップＤ１２）、さらに、集合情報が削除されて元の状態に戻される（ステップＤ１３）。
【００７６】
図１３の例で言えば、集合ファイルを構成していた「アプリケーション」と、「データ１」、「データ２」、「データ３」の各ファイルが分散されて、さらに、これらのファイルを管理していた集合情報が削除されて元の状態に戻される。
【００７７】
このように、アプリケーションファイルやデータファイルが個別に記憶されていても、その中の任意の各ファイルを一纏めにして１つのファイルとして効率的に管理することができ、例えばゲームなどのアプリケーションファイルと、そのアプリケーションで使用するデータのファイルを一纏めにしておけば、ファイル操作を誤って関連ファイルを削除してしまうなどの誤操作を防ぐことができる。
【００７８】
さらに、この纏められたファイル（集合ファイル）を他の端末に送信すれば、その相手の端末上でもアプリケーションを同じように実行することができる。
【００７９】
なお、前記実施形態では、本発明の端末装置として携帯電話を例にして説明したが、携帯電話の他にも、例えばＰＤＡ（Personal Digital Assistant）やパソコンなど、各種ファイルを扱うことのできる端末装置であれば、その全てに本発明を適用することができる。
【００８０】
要するに、本発明は前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【００８１】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【００８２】
【図１】本発明の一実施形態に係る端末装置として携帯電話を例にした場合の外観構成を示す図。
【図２】同実施形態における携帯電話の回路構成を示すブロック図。
【図３】同実施形態における携帯電話の表示部に表示されるファイル一覧画面の構成を示す図。
【図４】同実施形態における携帯電話の表示部に表示されるサブメニュー画面の構成を示す図。
【図５】同実施形態における携帯電話の表示部に表示される集合ファイル選択時のファイル一覧画面の構成を示す図。
【図６】同実施形態における携帯電話の表示部に表示される集合ファイル作成時の確認メッセージの一例を示す図。
【図７】同実施形態における携帯電話の表示部に表示される集合ファイル作成後のファイル一覧画面の構成を示す図。
【図８】同実施形態における携帯電話の表示部に表示されるＥメール添付時の確認メッセージの一例を示す図。
【図９】同実施形態における携帯電話のサブメニュー表示時の処理動作を説明するためのフローチャート。
【図１０】同実施形態における携帯電話の集合処理の動作を説明するためのフローチャート。
【図１１】同実施形態における携帯電話の集合ファイル実行処理の動作を説明するためのフローチャート。
【図１２】同実施形態における携帯電話の分散処理の動作を説明するためのフローチャート。
【図１３】同実施形態における携帯電話によって作成される集合ファイルの構成を示す図。
【図１４】同実施形態における携帯電話によって作成される集合ファイルの集合情報の一例を示す図。
【図１５】同実施形態における携帯電話によって作成される集合ファイルのアクセス方法を説明するための図であり、ファイル読み出しを行う場合の一例を示す図。
【図１６】同実施形態における携帯電話によって作成される集合ファイルのアクセス方法を説明するための図であり、ファイル削除を行う場合の一例を示す図。
【図１７】同実施形態における携帯電話によって作成される集合ファイルのアクセス方法を説明するための図であり、ファイル修正を行う場合の一例を示す図。
【符号の説明】
【００８３】
１０…携帯電話、１１…機器本体、１１ａ…第１の本体、１１ｂ…第２の本体、１１ｃ…ヒンジ機構、１２…表示部、１３…入力部、１３ａ…ダイヤル／文字ボタン、１３ｂ…電源ボタン、１３ｃ…発信ボタン、１３ｄ…機能選択ボタン、１３ｅ…カメラボタン１３、１４…マイク、１５…スピーカ、１６…カメラ、１７…アンテナ、２１…無線部、２２…音声変換回路、２３…制御部、２４…ＲＯＭ、２５…ＲＡＭ、２５ａ…アプリケーション記憶部、２５ｂ…データ記憶部、２５ｃ…リスト記憶部、２５ｄ…集合ファイル記憶部、２６…振動部、２７…鳴音部、３１…ファイル一覧画面、３２…チェック欄、３３…「表示」ボタン、３４…「選択」ボタン、３５…「サブメニュー」ボタン、３６…「集合」ボタン、４１…サブメニュー画面、４２…「ＯＫ」ボタン、４３…「閉じる」ボタン、５１…確認メッセージ、５２…「ＮＯ」ボタン、５３…「ＯＫ」ボタン、５４…確認メッセージ。
【図１】
2005202858.tif 000003
【図２】
2005202858.tif 000004
【図３】
2005202858.tif 000005
【図４】
2005202858.tif 000006
【図５】
2005202858.tif 000007
【図６】
2005202858.tif 000008
【図７】
2005202858.tif 000009
【図８】
2005202858.tif 000010
【図９】
2005202858.tif 000011
【図１０】
2005202858.tif 000012
【図１１】
2005202858.tif 000013
【図１２】
2005202858.tif 000014
【図１３】
2005202858.tif 000015
【図１４】
2005202858.tif 000016
【図１５】
2005202858.tif 000017
【図１６】
2005202858.tif 000018
【図１７】
2005202858.tif 000019